(57)【要約】【課題】オリフィス部材の組付け性の向上を図りつつ、オリフィス部材の塑性変形に基づくところの問題の発生を悉く解消せしめた流体封入式筒型防振装置を提供すること。【解決手段】防振装置１０において、オリフィス部材２４に、軸方向に延びる一つのスリット４０を設け、その両側に対称的に位置するように、ポケット部２０の各々に対応する内周面部位にそれぞれ突出して入り込むストッパ芯部４８を一体的に設け、更にそれを所定厚さのストッパゴム層５０にて覆い、ポケット部２０の底面への当接にて内筒金具１２と外筒金具１４との間の過大変位を阻止するストッパ５２を構成する一方、オリフィス部材２４の周方向中間部位に、折曲により二つのオリフィス部材片として分離可能なノッチ４４を軸方向に形成し、更にかかるノッチ４４の周方向両側のオリフィス部材２４部位を繋ぐ連結ゴム層５６を、ノッチ４４形成部位を含むオリフィス部材２４内周面に形成した。【選択図】図２
2008249052.tif 000002
【特許請求の範囲】
【請求項１】
軸部材とその軸直角方向外方に離間して配された金属スリーブとを、それらの間に介装された本体ゴム弾性体にて連結する一方、該本体ゴム弾性体に対称的に設けられた第一及び第二のポケット部を、該金属スリーブに設けられた窓部を通じて外周面に開口せしめ、更にその開口部を覆蓋するように、該金属スリーブに対して外筒部材を外嵌固定せしめることにより、前記第一及び第二のポケット部に対応した、それぞれ非圧縮性流体が封入されてなる第一及び第二の流体室を対称的に形成すると共に、それら二つのポケット部を相互に繋ぐオリフィス溝を外周面に有するオリフィス部材を、該金属スリーブと該外筒部材との間に配することにより、該オリフィス溝に対応して前記二つの流体室を相互に連通せしめるオリフィス通路を形成して、該オリフィス通路を通じて該二つの流体室内の非圧縮性流体が相互に流動せしめられ得るように構成した流体封入式筒型防振装置にして、
前記オリフィス部材を、軸方向に延びる一つのスリットにて筒壁部に切離し部が設けられた円筒状の樹脂成形品にて構成すると共に、該切離し部の両側に対称的に位置するように、前記ポケット部の各々に対応する内周面部位に、各ポケット部内にそれぞれ突出して入り込む突部としてのストッパ芯部を、該オリフィス部材に一体的に設け、そして該ストッパ芯部の各々の表面を覆うように、所定厚さのストッパゴム層を形成することにより、各ポケット部の底面への当接にて前記軸部材と前記外筒部材との間の過大変位を阻止するストッパを構成する一方、該オリフィス部材の周方向中間部位に、折曲により二つのオリフィス部材片として分離可能なノッチを軸方向に形成し、更に該ノッチの周方向両側のオリフィス部材部位を繋ぐ連結ゴム層を、該ノッチ形成部位を含むオリフィス部材内周面に形成したことを特徴とする流体封入式筒型防振装置。
【請求項２】
前記ノッチが、前記オリフィス部材の内周面に軸方向に設けられた、該オリフィス部材の筒壁部の厚さよりも深さの浅いＶ字形切欠きにて構成されていることを特徴とする請求項１に記載の流体封入式筒型防振装置。
【請求項３】
前記連結ゴム層が、前記ストッパゴム層に繋がる連続した一体構造において前記オリフィス部材の内周面に配設されており、該ストッパゴム層の前記ストッパ芯部上への加硫成形時に、該連結ゴム層が同時に形成されていることを特徴とする請求項２に記載の流体封入式筒型防振装置。
【請求項４】
前記オリフィス部材の内周面から前記第一及び第二のポケット部内にそれぞれ突出するように形成された二つの前記ストッパが、該オリフィス部材の径方向において高さの異なるものであることを特徴とする請求項１乃至請求項３の何れか一つに記載の流体封入式筒型防振装置。
【請求項５】
前記オリフィス部材が、前記ノッチの形成部位において、側方に開口する位置決め凹部を有していることを特徴とする請求項１乃至請求項４の何れか一つに記載の流体封入式筒型防振装置。
【請求項６】
前記オリフィス部材の位置決め凹部に係合する係合凸部が、前記金属スリーブの外周面上に設けられていることを特徴とする請求項５に記載の流体封入式筒型防振装置。
【発明の詳細な説明】
【技術分野】
【０００１】
本発明は、流体封入式筒型防振装置に係り、特に、非圧縮性流体が封入された二つの流体室を有し、それら二つの流体室間での封入流体の流動作用に基づいて防振効果を得るようにした流体封入式筒型防振装置の改良された構造に関するものである。
【背景技術】
【０００２】
従来から、振動伝達系を構成する二つの部材間に介装されて、それら二つの部材を連結する防振連結体の一種として、防振連結されるべき部材のうちの一方に取り付けられる軸部材と、そのような軸部材の周りに、その軸直角方向外方に所定距離を隔てて配されて、二つの部材のうちの他方に取り付けられる外筒部材とが、それらの間に介装されたゴム弾性体にて連結される一方、所定の非圧縮性流体が封入された二つの流体室が、軸部材を挟んで対称的に位置するようにゴム弾性体内に形成され、更に、それら二つの流体室を相互に連通するオリフィス通路が形成されるようにして、振動入力時に、かかる二つの流体室のそれぞれの室内に封入された非圧縮性流体が、オリフィス通路を通じて相互に流動せしめられ得るように構成した流体封入式筒型防振装置が、知られている。
【０００３】
そして、このような流体封入式筒型防振装置は、振動入力時に、オリフィス通路を通じて流動せしめられる非圧縮性流体の共振作用等に基づいて、有効な防振効果が得られるところから、例えば、自動車におけるエンジンマウントやボデーマウント、サブフレームマウント、デフマウント、或はストラットバークッションの如きサスペンションブッシュ等として、好適に用いられている。
【０００４】
ところで、この種の流体封入式筒型防振装置にあっては、その目的とする防振対象の入力振動が、オリフィス通路の通路（流路）断面積と長さの比に対応した周波数域のものとなるところから、かかるオリフィス通路の長さや断面積の設計の自由度を高め、目的とする防振対象の振動周波数のチューニング範囲を拡大すべく、オリフィス通路を外筒部材との間に形成するオリフィス部材を、流体室を与えるゴム弾性体のポケット部の開口部に配設するようにした構造が、例えば、特許文献１、２等に明らかにされている。
【０００５】
そこでは、軸部材とその軸直角方向外方に離間して配された金属スリーブとを、それらの間に介装された本体ゴム弾性体にて連結すると共に、かかる本体ゴム弾性体に設けられた二つのポケット部を、金属スリーブに設けられた窓部を通じて外周面にそれぞれ開口せしめ、更に、それら二つのポケット部間を繋ぐオリフィス溝が、外周面に設けられたオリフィス部材を用いて、それを、かかるポケット部の開口部、更には金属スリーブの開口に嵌め込むと共に、その上に外筒部材を外嵌して固定せしめ、少なくとも前記した窓部やオリフィス部材を覆蓋することにより、非圧縮性流体が封入された二つの流体室を、前記二つのポケット部に対応して形成すると共に、前記オリフィス溝に対応してオリフィス通路が形成されるようにした構造が、採用されている。
【０００６】
しかしながら、かかる従来の流体封入式筒型防振装置においては、二つのポケット部の開口部に対して配置すべく、オリフィス部材が、一対の分割構造体にて構成されているところから、必然的に、部品点数が増加して、製造コストの上昇を招くことに加えて、それら一対の分割構造体を、金属スリーブと外筒部材の間でそれぞれ流体密に固定する必要があるために、そのような組付け作業において分割構造体が脱落する問題があることに加えて、その組付け作業性が、面倒で、困難となる問題を内在しているのである。また、一対の分割構造体であるが故に、各分割構造体の二つのポケット部に対する組付けに誤り（誤組付け）が発生し易く、目的とする防振性能が得られない等という問題を惹起する恐れもあったのである。
【０００７】
このため、特許文献３、４等においては、一対の分割構造体に代えて、周方向に半周以上の長さで延びる略Ｃ字形状の単一の部材を、オリフィス部材として用いて、それを軸方向から挿入して、金属スリーブに嵌着せしめ、更にその上に、外筒部材を外挿することにより、二つの流体室と共に、オリフィス通路が形成されるようにした構造の防振装置が、提案されているのであるが、そのような構造のものにあっても、次のような問題を内在するものであったのである。
【０００８】
すなわち、この種の流体封入式筒型防振装置を、振動伝達系を構成する二つの部材間に介装して、それら二つの部材間の振動伝達を減衰乃至は阻止するに際しては、その内筒部材と外筒部材との間の過大変位を阻止すべく、流体室内には、一般に、内筒部材側或いは外筒部材（オリフィス部材）側に、適当なストッパ手段が配設されることとなる。しかしながら、そのようなストッパ手段を、オリフィス部材の内周面に設けた場合において、上記した特許文献３、４に示される如く、内筒部材と本体ゴム弾性体と金属スリーブからなる円柱状ブロック（一体加硫成形品）に対して、その軸方向から、オリフィス部材を嵌入せしめるには、内方に突出するストッパ手段が干渉して、その嵌入操作を実施することが出来ないという問題が内在している。また、敢えて、かかるストッパ手段の干渉を避けるべく、オリフィス部材の略Ｃ字形状の開口部を大きく拡開せしめて、その内径を大きくする場合にあっては、オリフィス部材自体が塑性変形を受けて、永久変形が惹起される恐れがあり、そしてその変形に起因する歪みの発生により、オリフィス部材、ひいてはオリフィス通路の形状安定性が維持され難くなって、流体室やオリフィス通路のシール性を確保することが困難となり、目的とする防振効果を安定して得ることが出来ない等の問題も、内在しているのである。
【０００９】
なお、そのようなストッパ手段を流体室の底部に設けた場合にあっては、特許文献４にも示されている如く、内筒部材上に適当なストッパ芯金具を外挿配置せしめる必要があり、それ故に、必然的に部品点数が増える等の問題が惹起されることとなり、また、その形成操作も面倒となるのである。このため、ストッパ手段は、むしろオリフィス部材側に位置せしめて、オリフィス部材と同時に一体的に形成することが、その形成作業からして、望ましいものではあるが、その要請に対して、特許文献４に明らかにされている如き構造においては、充分に対処し得るものではなかったのである。
【００１０】
また、特許文献３、４等の如く、オリフィス部材を単一の部材にて構成した場合にあっても、オリフィス部材におけるオリフィス溝（通路）の配設形態や金属スリーブ、ポケット部の形態等の如何により、オリフィス部材の挿入に方向性が求められることがあり、加えてオリフィス部材の内周面に各ポケット部に対応したストッパが設けられ、それらのストッパの高さが異なる場合においては、オリフィス部材は、その挿入方向が定められ、そしてその挿入方向を誤まれば、例えオリフィス部材が単一の部材にて構成されていても、前記した分割構造体の場合と同様な誤組付けの問題が惹起されることとなる。
【００１１】
さらに、特許文献５においては、オリフィス部材を、半周より大きな周方向長さで延びる略Ｃ字形状の単一部材とすると共に、その周方向中間部分に、軸方向に連続して直線的に延びる軸方向溝を形成して、この軸方向溝の形成部位において、オリフィス部材の弾性変形が許容され得るようにすることによって、オリフィス部材を、一体加硫成形品に対して軸直角方向に組み付けて、装着することが出来るようにした流体封入式筒型防振装置が提案されているが、そこでは、オリフィス部材の弾性力を利用して、その弾性変形作用にて、オリフィス部材を大きく開口させ、そしてその状態において、一体加硫成形品に嵌め込み、その後その弾性的復元力に基づいて組み付けて、外筒部材を外嵌せしめるようにしたものであるところから、そのようなオリフィス部材を大きく開口させるには、その弾性復元力に打ち勝つだけの力を加える必要があり、そのために、その組付け作業には、かなりの力が必要となって、その作業に困難を来たし、また危険が伴なう等の問題も内在している。
【００１２】
しかも、そのようなオリフィス部材の組付け作業は、あくまでも、弾性変形の範囲内での作業となるところから、そのＣ字形状の開口部の拡開の程度にも限度があり、特に、上述の如く、オリフィス部材の内周面にストッパ手段が設けられた場合にあっては、一体加硫成形品との干渉を避けるべく、大きな拡開状態が求められるために、そのような要求に充分に応え得るものではなかったのである。けだし、一体加硫成形品への組付けに際して、ストッパ手段との干渉を避けるべく、オリフィス部材のＣ字形状の開口を更に大きく拡開せしめると、その弾性限度を越えて、塑性変形が惹起される恐れが生じ、そして塑性変形が惹起された場合にあっては、前述せるように、歪みの発生、それに基づくオリフィス通路の形状安定性の悪化、ひいては流体室やオリフィス通路のシール性の低下等の問題が惹起されるようになるからである。
【００１３】
【特許文献１】実公昭６１−２７０５３３号公報
【特許文献２】特開２０００−１４５８７６号公報
【特許文献３】特開平５−６５９３３号公報
【特許文献４】特開平５−６５９３４号公報
【特許文献５】特開２００６−１３８４３０号公報
【発明の開示】
【発明が解決しようとする課題】
【００１４】
ここにおいて、本発明は、かかる事情を背景にして為されたものであって、その解決課題とするところは、オリフィス部材の組付け性の向上を図りつつ、オリフィス部材の塑性変形に基づくところの問題の発生を悉く解消せしめた流体封入式筒型防振装置を提供することにある。
【課題を解決するための手段】
【００１５】
そして、本発明にあっては、上記した課題又は明細書全体の記載や図面から把握される課題を解決するために、以下に列挙せる如き各種の態様において、有利に実施され得るものであるが、また、以下に記載の各態様は、任意の組合せにおいても採用可能である。なお、本発明の態様乃至は技術的特徴は、以下に記載のものに何等限定されることなく、明細書全体の記載並びに図面に開示乃至は示唆される発明思想に基づいて認識され得るものであることが、理解されるべきである。
【００１６】
（１）  軸部材とその軸直角方向外方に離間して配された金属スリーブとを、それらの間に介装された本体ゴム弾性体にて連結する一方、該本体ゴム弾性体に対称的に設けられた第一及び第二のポケット部を、該金属スリーブに設けられた窓部を通じて外周面に開口せしめ、更にその開口部を覆蓋するように、該金属スリーブに対して外筒部材を外嵌固定せしめることにより、前記第一及び第二のポケット部に対応した、それぞれ非圧縮性流体が封入されてなる第一及び第二の流体室を対称的に形成すると共に、それら二つのポケット部を相互に繋ぐオリフィス溝を外周面に有するオリフィス部材を、該金属スリーブと該外筒部材との間に配することにより、該オリフィス溝に対応して前記二つの流体室を相互に連通せしめるオリフィス通路を形成して、該オリフィス通路を通じて該二つの流体室内の非圧縮性流体が相互に流動せしめられ得るように構成した流体封入式筒型防振装置にして、
前記オリフィス部材を、軸方向に延びる一つのスリットにて筒壁部に切離し部が設けられた円筒状の樹脂成形品にて構成すると共に、該切離し部の両側に対称的に位置するように、前記ポケット部の各々に対応する内周面部位に、各ポケット部内にそれぞれ突出して入り込む突部としてのストッパ芯部を、該オリフィス部材に一体的に設け、そして該ストッパ芯部の各々の表面を覆うように、所定厚さのストッパゴム層を形成することにより、各ポケット部の底面への当接にて前記軸部材と前記外筒部材との間の過大変位を阻止するストッパを構成する一方、該オリフィス部材の周方向中間部位に、折曲により二つのオリフィス部材片として分離可能なノッチを軸方向に形成し、更に該ノッチの周方向両側のオリフィス部材部位を繋ぐ連結ゴム層を、該ノッチ形成部位を含むオリフィス部材内周面に形成したことを特徴とする流体封入式筒型防振装置。
【００１７】
（２）  前記ノッチが、前記オリフィス部材の内周面に軸方向に設けられた、該オリフィス部材の筒壁部の厚さよりも深さの浅いＶ字形切欠きにて構成されていることを特徴とする上記態様（１）に記載の流体封入式筒型防振装置。
【００１８】
（３）  前記連結ゴム層が、前記ストッパゴム層に繋がる連続した一体構造において前記オリフィス部材の内周面に配設されており、該ストッパゴム層の前記ストッパ芯部上への加硫成形時に、該連結ゴム層が同時に形成されていることを特徴とする上記態様（２）に記載の流体封入式筒型防振装置。
【００１９】
（４）  前記オリフィス部材の内周面から前記第一及び第二のポケット部内にそれぞれ突出するように形成された二つの前記ストッパが、該オリフィス部材の径方向において高さの異なるものであることを特徴とする上記態様（１）乃至（３）の何れか一つに記載の流体封入式筒型防振装置。
【００２０】
（５）  前記オリフィス部材が、前記ノッチの形成部位において、側方に開口する位置決め凹部を有していることを特徴とする上記態様（１）乃至（４）の何れか一つに記載の流体封入式筒型防振装置。
【００２１】
（６）  前記オリフィス部材の位置決め凹部に係合する係合凸部が、前記金属スリーブの外周面上に設けられていることを特徴とする上記態様（５）に記載の流体封入式筒型防振装置。
【発明の効果】
【００２２】
このような本発明に従う構造を有する流体封入式筒型防振装置にあっては、オリフィス部材が、筒壁部に切離し部を設けてなる円筒状の樹脂成形品からなる単一の部材にて構成されているところから、樹脂の成形操作にて製造することが出来、そのため製造が容易であり、且つ製造コストも有利に低減せしめられ得ることとなることに加えて、従来の如き一対の分割構造体にて構成されるオリフィス部材に比べて、その取扱い作業性は、格段に向上され得ることとなったのであり、また、それぞれのポケット部の開口部に配置されるオリフィス部材部分を一体的に取り扱うことが出来るところから、そのようなオリフィス部材の配設の正確性を更に有利に高めることが出来る特徴がある。
【００２３】
そして、本発明において用いられるオリフィス部材は、その周方向中間部位に、折曲作用を加えることにより二つのオリフィス部材片として分離可能なノッチを有しているところから、オリフィス部材の内周面に、軸部材と外筒部材との間の過大変位を阻止する二つのストッパが設けられていても、かかるオリフィス部材の組付けに際し、そのようなストッパによる干渉を避けるべく、オリフィス部材を、その切離し部（スリット）において大きく開口せしめ、それによって、ノッチ形成部位で折曲させて、二つのオリフィス部材片に分離せしめることにより、その後に大きな力を加えることなく、大きく開口させた状態において、オリフィス部材を、その軸直角方向から容易に組み付けることが出来ることとなるのである。また、これによって、オリフィス部材は、そのノッチ形成部位にて分離されるものの、その分離された二つのオリフィス部材片自体は、実質的に塑性変形を受けるようなことがないために、オリフィス部材の変形に基づくところのオリフィス通路の形状安定性の悪化や、流体室やオリフィス通路のシール性の低下等の問題の発生が、効果的に阻止され得るのである。
【００２４】
しかも、オリフィス部材は、そのノッチ形成部位において分離されて、二つのオリフィス部材片となっても、それら二つのオリフィス部材片は、連結ゴム層にて連結されているところから、完全にバラバラの状態において組み付けられることがなく、そのために、オリフィス部材は、脱落することなく、それが分離される前と同様な状態において、その組付け状態を有利に維持することが出来るところから、その組付け作業性への影響も、可及的に軽減乃至は阻止することが可能となるのである。
【発明を実施するための最良の形態】
【００２５】
以下、本発明を更に具体的に明らかにするために、本発明の代表的な実施形態の一つについて、図面を参照しつつ、詳細に説明することとする。
【００２６】
先ず、図１及び図２には、本発明に従う流体封入式筒型防振装置の一実施形態が、それぞれ縦断面及び横断面の形態において、示されている。そこにおいて、防振装置１０は、軸部材としての内筒金具１２と、この内筒金具１２の周りに径方向（軸直角方向）外方に所定距離を隔てて同軸的に位置せしめられた、外筒部材としての外筒金具１４とを有し、更に、それら内筒金具１２と外筒金具１４とが、それら両金具１２，１４間に介装された本体ゴム弾性体１６によって、弾性的に連結されてなる構造とされている。
【００２７】
そして、そこでは、内筒金具１２の内孔１８に、図示しない枢軸（例えば、取付ボルト等）が挿通されて、防振連結されるべき二つの部材の一方に、かかる内筒金具１２が取り付けられるようになっている一方、かかる二つの部材のうちの他方に、外筒金具１４が、所定の取付金具を介して取り付けられ、主として、図２において上下方向となる径方向（軸直角方向）に入力される振動荷重に対して、目的とする防振特性が発揮され得るようになっている。
【００２８】
また、そのような防振装置１０においては、内筒金具１２を挟んで、一対のポケット部２０，２０が、対称的に本体ゴム弾性体１６に設けられており、そしてそれら一対のポケット部２０，２０の各開口部が、外筒金具１４にて覆蓋されることによって、所定の非圧縮性流体が封入された一対の流体室２２，２２が形成されている。更に、それら一対のポケット部２０，２０に跨って架け渡されるように、全体として厚肉の円筒形状を呈する単一のオリフィス部材２４が配置され、それらオリフィス部材２４と外筒金具１４とによって、一対の流体室２２，２２を連通せしめるオリフィス通路２６が形成されている。
【００２９】
より詳細には、内筒金具１２と本体ゴム弾性体１６とは、図３〜図５に示されているように、金属スリーブ２８と共に、一体加硫成形品３０として構成されている。即ち、それらの図から明らかなように、厚肉の小径円筒形状を呈する内筒金具１２と、その径方向外方に離間して配された段付き円筒形状の金属スリーブ２８とが、本体ゴム弾性体１６との一体加硫成形操作によって、そのような本体ゴム弾性体１６にて連結されて、一体加硫成形品３０とされているのである。そして、そこにおいて、金属スリーブ２８は、図３及び図４から明らかな如く、軸方向の一方の端部側において、ポケット部２０の壁部の厚さに略相当する軸方向長さを有する大径部２８ａを有する一方、残余の軸方向長さ部分が小径部２８ｂとされてなる、段付き筒体形状を呈していると共に、その筒壁部が大きな矩形形状に切り欠かれることによって、一対の窓部２８ｃ，２８ｃが、軸心に対して対称的に設けられている。
【００３０】
そして、それら内筒金具１２と金属スリーブ２８と本体ゴム弾性体１６との一体加硫成形品３０においては、そのような一体加硫成形操作によって、金属スリーブ２８の窓部２８ｃを通じて外周面に開口せしめられた一対のポケット部２０，２０が、内筒金具１２を挟んで対称的に形成されているのである。一方、本体ゴム弾性体１６から回り込んだゴム弾性体材料によって、金属スリーブ２８の二つの窓部２８ｃ，２８ｃによって二つに分断された小径部２８ｂの一方の外面上に、図３（ｂ）及び図４（ａ）に示される如く、大径部２８ａから略同じ高さで延びる、矩形の平面形態を呈する係合凸部３２が、軸方向に所定長さ突出するように設けられている。なお、かかる二つに分断された小径部２８ｂの他方の外面上にも、図３（ｃ）及び図４（ａ）から明らかな如く、本体ゴム弾性体１６から回り込んだゴム弾性体材料によって、大径部２８ａと小径部２８ｂとの間の段部に、所定厚さの緩衝ゴム部３４が形成されており、後述するオリフィス部材２４が嵌着せしめられた際に、その側面（軸方向端面）が当接せしめられ得るようになっている。
【００３１】
一方、外筒金具１４の外嵌によって、その内周面との間において、オリフィス通路２６を形成するオリフィス部材２４は、図６〜図１０に示されるように、全体として円筒形状を呈し、その筒壁部が、一箇所において、所定幅のスリット４０にて軸方向に切り離されてなる形態において、構成されている。より具体的には、かかるオリフィス部材２４は、ポリアミドや繊維強化プラスチック等の樹脂材料を用いて、射出成形等の成形操作により一体的に形成された円筒状の樹脂成形品にて構成されており、その筒壁部が、一箇所において、軸方向に延びるスリット４０にて切り離されて、そこに切離し部が形成されてなる形態とされている。また、かかるオリフィス部材２４の外周面には、図７（ａ）等に示されているように、スリット４０を跨ぐようにして周方向に延びるオリフィス溝４２が設けられており、このオリフィス溝４２は、その両末端において、それぞれ、オリフィス部材２４の同じ側の側方に開口せしめられて、後述せるように、オリフィス部材２４が金属スリーブ２８上に組み付けられた際に、その下方の二つのポケット部２０，２０にそれぞれ接続されるようになっている。
【００３２】
また、かかるオリフィス部材２４においては、その周方向中間部位に位置するように、ノッチ４４が、軸方向に形成されている。このノッチ４４は、その形成部位におけるオリフィス部材２４の折曲作用乃至は屈曲作用により破断されて、容易に二つのオリフィス部材片に分離せしめられ得るようにするためのものである。そして、ここでは、図６（ｂ）及び図９（ａ）等に示されている如く、かかるノッチ４４は、スリット４０に対して軸対称となる内周面位置に、オリフィス部材２４の筒壁部の厚さよりも深さの浅いＶ字形切欠きによって、軸方向に形成されている。即ち、このノッチ４４をオリフィス部材２４に設けても、ノッチ４４の底部には、破断可能な所定厚さの接続部が残されているところから、オリフィス部材２４は、単一の部材として取り扱うことが出来るようになっているのである。
【００３３】
さらに、このオリフィス部材２４には、図６（ｂ）や図７（ｂ）、更には図１０等から明らかなように、ノッチ４４の形成部位に位置して、それから、その両側に周方向に同様な長さで延びる、位置決め凹部としての矩形凹所４６が、側方に開口するように設けられている。この矩形凹所４６は、図３（ｂ）に示される金属スリーブ２８の小径部２８ｂ上に形成された係合凸部３２に係合せしめられて、オリフィス部材２４を、金属スリーブ２８に対して目的とする配設（嵌着）形態に位置決めして、正しい組付けが出来るようになっているのである。
【００３４】
加えて、かかるオリフィス部材２４には、その筒壁部における切離し部を構成するスリット４０の両側に位置するように、ここでは、軸心を挟んで対称的に位置するように、二つのストッパ芯部４８，４８が、図６（ｂ）や図９（ａ）に示されるように、それぞれ円弧形状において、オリフィス部材２４との同時成形操作によって、一体的に形成されている。なお、それら二つのストッパ芯部４８，４８は、図２に示される如く、それぞれポケット部２０，２０の各々に対応するオリフィス部材２４の内周面部位に、各ポケット部２０内にそれぞれ突出して入り込む凸部として、一体的に設けられているのである。また、それらのストッパ芯部４８，４８の表面上には、図１、図２及び図９（ａ）等から明らかな如く、所定厚さのストッパゴム層５０，５０が、それぞれ円弧形状をもって、加硫成形操作により一体的に形成されており、そして、それらストッパ芯部４８とストッパゴム層５０とから、全体として円弧形状を呈するストッパ５２が、構成されているのである。
【００３５】
なお、このような二つのストッパ５２，５２の構成において、図２や図９（ａ）より明らかな如く、図において上下に位置するストッパ芯部４８，４８やストッパゴム層５０，５０は、その高さや厚さがそれぞれ異なる形態において設けられており、従って、二つのストッパ５２，５２の全体としての高さにおいても、上方のストッパ５２よりも、下方のストッパ５２の方が、高さが高くなるように構成されている。また、オリフィス部材２４に一体的に設けられた二つのストッパ芯部４８，４８の背部には、図６（ａ）や（ｃ）に示されている如く、それぞれ４つの肉抜き凹所５４がそれぞれ設けられており、これによって、オリフィス部材２４の軽量化が図られ得るようになっている。
【００３６】
また、オリフィス部材２４においては、その内周面の展開図やその部分断面図を示す図１０（ａ）〜（ｄ）等から明らかな如く、オリフィス部材２４の内周面のノッチ４４形成部位を含むように、ノッチ４４の周方向両側のオリフィス部材部位を繋ぐ連結ゴム層５６が、一体的に形成されている。なお、そのような連結ゴム層５６は、ここでは、それぞれのストッパ５２，５２を構成するストッパゴム層５０，５０に繋がる連続した一体構造において、設けられている。しかも、そのような連結ゴム層５６は、図１０（ｂ）及び（ｃ）より明らかな如く、オリフィス部材２４の筒壁部に、凹所５８を形成して、その厚さを薄くする一方、凹所５８内に、ゴム材料を充填すると共に、ノッチ４４内にも充填してなる構造において、一体的に設けられているのである。また、このような連結ゴム層５６は、オリフィス部材２４のストッパ芯部４８上へのストッパゴム層５０の加硫成形時に、同時に形成されており、これによって、それらストッパゴム層５０と連結ゴム層５６の形成が、一回の加硫成形操作にて行なうことが可能となる利点がある。
【００３７】
さらに、上記の如き防振装置に用いられる外筒金具１４は、図１１に示される如く、段付き円筒形状を呈し、その大径部側の開口部が、やや拡開されたテーパ形状において形成されている。なお、そのテーパ形状に拡開された部分は、後述せるように、組み付けられた後の縮径操作によって、図１に示される如く、大径部と同径とされて、ストレート形状を呈するように組み付けられることとなる。また、かかる段付き形状の外筒金具１４の内周面には、所定厚さのシールゴム層６０が一体的に加硫成形されており、このシールゴム層６０の存在によって、金属スリーブ２８との間、更にはオリフィス部材２４との間の有効なシールを実現して、二つの流体室２２，２２やオリフィス通路２６のシールが確保されるようになっている。そして、このシールゴム層６０によるシール機能は、図１１（ｂ）に示されているように、両端開口部側部位にそれぞれ設けられた周方向のシールリブ６２によって、更に高められているのである。
【００３８】
ところで、かくの如きオリフィス部材２４や一体加硫成形品３０、更には外筒金具１４を用いて、図１及び図２に示される如き防振装置１０を組み立てるに際しては、先ず、図１２に示される如く、一体加硫成形品３０に対して、オリフィス部材２４が、組み付けられて嵌着せしめられるのである。即ち、そこでは、オリフィス部材２４が、その筒壁部の切離し部を構成するスリット４０において、それが拡開するように押し広げられると、そのようなスリット４０に対称的に設けられたノッチ４４に対して屈曲作用乃至は折曲作用が加わり、それによって、かかるノッチ４４形成部位において、オリフィス部材２４が破断して、二つのオリフィス部材片として分離せしめられるようになる。しかし、そのようなノッチ形成部位には、連結ゴム層５６が設けられているところから、それら二つのオリフィス部材片は、バラバラに分離することなく、一体的に連結された状態において、更にそのスリット４０がより大きく開口することを許容するようになるために、オリフィス部材２４は、その内周面に設けた二つのストッパ５２，５２が一体加硫成形品３０に干渉することなく、そして変形作用を実質的に受けることなく、容易に組み付けられ得ることとなるのである。また、このようなオリフィス部材２４の組付けに際しては、ノッチ４４の形成部位に設けられた、側方に開口する矩形凹所４６が、一体加硫成形品３０における金属スリーブ２８の小径部２８ｂ上に形成した係合凸部３２に係合するように、組み付けられることとなる。
【００３９】
次いで、この得られた一体加硫成形品３０に対するオリフィス部材２４の組付体（嵌着体）に対して、その外周面に、外筒金具１４が、圧入により外嵌せしめられることによって、オリフィス部材２４のオリフィス溝４２が、外筒金具１４の内周面にて覆蓋されることとなり、以て、同時に形成される一対のポケット部２０，２０に対応する一対の流体室２２，２２を連通せしめる、所定長さと流路断面積を有する一つのオリフィス通路２６が形成されるのである。そして、そのような外筒金具１４が外嵌された組付体には、更に八方絞り等の絞り加工が施されて、縮径されることにより、外筒金具１４の有効な固定が図られ得ることとなる一方、外筒金具１４の内周面に設けたシールゴム層６０やシールリブ６２の存在により、一対の流体室２２，２２（ポケット部２０，２０）やオリフィス通路２６の周りのシールが、充分に為され得るようになっており、これによって、図１及び図２に示される如き防振装置１０が、完成されるのである。また、上記した絞り加工等による縮径操作にて、オリフィス部材２４の分離した二つの部材片は、両端部が突き合わされるようになり、図２に示される如く、スリット４０の間隙が殆ど消失せしめられることとなる。しかも、そのようなスリット４０の解消によって、スリット４０を介して対向していた両側のオリフィス溝４２，４２が合致し、一つのオリフィス溝として効果的に機能するようになるのである。
【００４０】
従って、かくの如き防振装置１０の構造にあっては、オリフィス部材２４が、一体加硫成形品３０に対する組付け時におけるスリット４０の拡開操作によって、そのノッチ４４形成部位において切り離され、二つのオリフィス部材片に分離されることとなるが、それら二つのオリフィス部材片は、連結ゴム層５６にて連結されているところから、バラバラに分離されることなく、一体的な部品として取り扱うことが出来ると共に、そのスリット４０の開口を、大きく自由に拡開せしめることが出来ることとなるのである。それ故に、その大きく拡開されたスリット４０の開口部を通じて、ストッパ５２に対する干渉を回避しつつ、一体加硫成形品３０に対して、相対的な挿入操作を行なうことが可能となり、以て、それらオリフィス部材２４と一体加硫成形品３０の組付け、嵌着操作を、効果的に行なうことが出来るのである。
【００４１】
しかも、そのような一体加硫成形品３０に対するオリフィス部材２４の組付けに際しては、オリフィス部材２４が、そのスリット４０の開口を拡開せしめる力によって、ノッチ４４の形成部位に、効果的な折曲作用が加わることとなり、そこにおいて破断が生じることによって、二つのオリフィス部材片に分離されることとなることにより、その後スリット４０に大きな拡開力を作用せしめても、折曲作用乃至は屈曲作用は、ノッチ４４周辺の連結ゴム層５６に加わり、二つのオリフィス部材片には、ほとんど作用することがないところから、それら二つのオリフィス部材片、換言すれば、ストッパ５２やオリフィス溝４２の設けられたオリフィス部材片には、実質的な変形作用が加わることはなく、従って塑性変形を受けることがなく、それ故に、変形に基づく歪みがオリフィス部材２４に発生することがないために、オリフィス通路２６の形状安定性も、効果的に確保され、また流体室２２やオリフィス通路２６のシール性にも、問題を生じるようなことは、全くないのである。
【００４２】
また、オリフィス部材２４が、その筒壁部に、切離し部（スリット４０）を設けてなる円筒状の樹脂成形品からなる単一の部材にて構成されているところから、従来の如き一対の分割構造体にて構成されるオリフィス部材に比べて、その取扱い作業性は、格段に向上され得ることとなったことに加えて、そのノッチ４４の形成部位において、オリフィス部材２４が二つのオリフィス部材片に分離されても、それら二つのオリフィス部材片は、連結ゴム層５６にて連結されているために、オリフィス部材片が脱落することもなく、従ってその組付け作業に大きな困難を生じることはなく、それぞれのポケット部２０の開口部に配置されるオリフィス部材片を、一体的に取り扱うことが出来るのである。しかも、そのようなオリフィス部材２４の配設の正確性を有利に高め、またその組付け作業にも、大きな問題を惹起することがない特徴を発揮するのである。
【００４３】
さらに、オリフィス部材２４は、そのノッチ４４形成部位に設けた矩形凹所４６を、一体加硫成形品３０の金属スリーブ２８に設けられた係合凸部３２に係合せしめて、組み付けられるようになっているところから、そのようなオリフィス部材２４の内周面に設けられたストッパ５２，５２の高さが異なるために、その組付け方向性が規定される場合にあっても、一体加硫成形品３０に対するオリフィス部材２４の正しい組付けが、確実に実現され得ることとなるのであり、これによって、誤組付けの問題も、完全に解消され得ることとなるのである。
【００４４】
なお、そのようなオリフィス部材２４における矩形凹所４６の存在は、また、オリフィス部材２４に対するストッパゴム層５０の加硫成形操作においても、その特徴を発揮し得るものである。即ち、加硫成形金型内に、そのような矩形凹所４６に嵌合する凸部を設けておけば、加硫成形金型内における、オリフィス部材２４の配置を正確に行なうことが出来、以て、そのようなオリフィス部材２４におけるストッパ芯部４８，４８上に加硫成形されるストッパゴム層５０，５０の厚さの異なる層を、間違いなく、正確に形成することが出来る利点を発揮し得るのである。
【００４５】
勿論、そのようなオリフィス部材２４における矩形凹所４６は、それが存在していることによって、そのような矩形凹所４６の存在位置を確認することのみにて、オリフィス部材２４の組付け方向を決定することが出来るために、一体加硫成形品３０における係合凸部３２等との係合を行なわなくても、オリフィス部材２４の正しい配置を行なうことは可能であるが、本実施形態の如く、係合凸部（３２）等との係合機構を利用すれば、更に正確な配設が可能となるのであって、以て、誤組付けの問題のより一層有効な解決を図ることが可能となる。
【００４６】
以上、本発明の一実施形態について詳述してきたが、それは、あくまでも、例示に過ぎないものであって、本発明は、そのような実施形態に関する具体的な記述によって、何等限定的に解釈されるものではないことが、理解されるべきである。
【００４７】
例えば、例示の実施形態にあっては、内筒金具１２を挟んで、その両側に、対称的な一対のポケット部２０（流体室２２）が設けられているのであるが、そのようなポケット部２０は、従来と同様な構造において設けられておれば足り、その配設形態は、適宜に設定されることとなる。加えて、一対のポケット部２０（流体室２２）の大きさにあっても、同じ大きさとされる場合の他、異なる大きさの組合せとすることも可能である。
【００４８】
また、内筒金具１２と外筒金具１４とは、例示の如く、同心的に位置せしめられた形態において、本体ゴム弾性体１６にて、互いに連結せしめられる他、良く知られているように、初期荷重が加わった際に、同心的に位置するように、内筒金具１２と外筒金具１４とを偏心させて、本体ゴム弾性体１６にて連結するようにした構造も、適宜に採用され、本発明が、有利に適用され得るものである。
【００４９】
さらに、本発明にあっては、例示の如く、二つのストッパ５２，５２の高さ（径方向内方への突出長さ）を、互いに異ならしめた構造の装置が、有利に対象とされ得るものであるが、勿論、それらストッパ５２の高さが同じである構造のものにおいても、本発明は、同様に適用され得るものである。
【００５０】
更にまた、オリフィス部材２４におけるノッチ４４は、例示の如きＶ字形状であることが望ましいものではあるが、適宜の断面形状において形成することが可能であり、更にその形成位置にあっても、スリット４０に対して対称的に設ける場合の他、適宜の位置を選択することが出来、またオリフィス部材２４の内周面の他、外周面に設けるようにすることが可能である。尤も、本実施形態の如く、内周面に設けることが、破断のし易さの点において有利である。
【００５１】
加えて、本体ゴム弾性体１６等を構成するゴム弾性体の材質や、流体室２２内に封入される非圧縮性流体としては、何れも、公知のものが採用され、例えば、非圧縮性流体としては、水やアルキレングリコール、ポリアルキレングリコール、シリコーン油等が採用されるが、一般に、０．１Ｐａ・ｓ以下の低粘性流体が、好適に用いられることとなる。
【００５２】
そして、かくの如き構成の本発明は、自動車のサスペンションブッシュに好適に適用され得るものであるが、また、自動車のエンジンマウントやボデーマウント等の各種の自動車用防振装置に対して、更には自動車以外に用いられている各種の防振装置にも適用することが可能である。
【図面の簡単な説明】
【００５３】
【図１】本発明に従う構造を有する流体封入式筒型防振装置の一実施形態を示す縦断面拡大説明図である。
【図２】図１に示される流体封入式筒型防振装置の横断面拡大説明図であって、図１におけるＩＩ−ＩＩ断面に相当する図である。
【図３】図１に示される流体封入式筒型防振装置に用いられる一体加硫成形品の説明図であって、（ａ）、（ｂ）及び（ｃ）は、それぞれ、その正面図、右側面図及び左側面図である。
【図４】図３に示される一体加硫成形品の断面説明図であって、（ａ）及び（ｂ）は、それぞれ、図３（ａ）におけるＩＶａ−ＩＶａ断面及びＩＶｂ−ＩＶｂ断面に相当する拡大図である。
【図５】図３（ｂ）におけるＶ−Ｖ断面拡大説明図である。
【図６】図１に示される流体封入式筒型防振装置に用いられるオリフィス部材の説明図であって、（ａ）、（ｂ）及び（ｃ）は、それぞれ、その平面図、正面図及び底面図である。
【図７】図６に示されるオリフィス部材の異なる方向から見た説明図であって、（ａ）及び（ｂ）は、それぞれ、その左側面図及び右側面図である。
【図８】図６に示されるオリフィス部材の断面説明図であって、（ａ）及び（ｂ）は、それぞれ、図６（ｂ）におけるVIIIａ−VIIIａ断面及びVIIIｂ−VIIIｂ断面に相当する拡大図である。
【図９】図６に示されるオリフィス部材の異なる断面における説明図であって、（ａ）は、図６（ａ）におけるＩＸａ−ＩＸａ断面に相当する拡大図を示し、（ｂ）は、図６（ｂ）におけるＩＸｂ−ＩＸｂ断面に相当する拡大図を示している。
【図１０】図６に示されるオリフィス部材の内周面を展開して示す説明図であって、（ａ）は、その展開拡大平面図であり、また（ｂ）、（ｃ）及び（ｄ）は、それぞれ、（ａ）におけるＸｂ−Ｘｂ断面、Ｘｃ−Ｘｃ断面及びＸｄ−Ｘｄ断面に相当する部分拡大説明図である。
【図１１】図１に示される流体封入式筒型防振装置において用いられる外筒金具の説明図であって、（ａ）は、その正面図であり、（ｂ）は、（ａ）におけるＸＩｂ−ＸＩｂ断面説明図である。
【図１２】図１に示される流体封入式筒型防振装置において、そのオリフィス部材を一体加硫成形品に組み付ける状態を説明する図２の断面に相当する拡大図である。
【符号の説明】
【００５４】
１０  防振装置                               １２  内筒金具
１４  外筒金具                               １６  本体ゴム弾性体
１８  内孔                                   ２０  ポケット部
２２  流体室                                 ２４  オリフィス部材
２６  オリフィス通路                         ２８  金属スリーブ
２８ａ  大径部                               ２８ｂ  小径部
２８ｃ  窓部                                 ３０  一体加硫成形品
３２  係合凸部                               ３４  緩衝ゴム層
４０  スリット                               ４２  オリフィス溝
４４  ノッチ                                 ４６  矩形凹所
４８  ストッパ芯部                           ５０  ストッパゴム層
５２  ストッパ                               ５４  肉抜き凹所
５６  連結ゴム層                             ５８  凹所
６０  シールゴム層                           ６２  シールリブ
【図１】
2008249052.tif 000003
【図２】
2008249052.tif 000004
【図３】
2008249052.tif 000005
【図４】
2008249052.tif 000006
【図５】
2008249052.tif 000007
【図６】
2008249052.tif 000008
【図７】
2008249052.tif 000009
【図８】
2008249052.tif 000010
【図９】
2008249052.tif 000011
【図１０】
2008249052.tif 000012
【図１１】
2008249052.tif 000013
【図１２】
2008249052.tif 000014